(57)【要約】【課題】記録媒体を駆動させるモータを有する記録装置を確実に保持でき、かつ持ち運びに適した操作装置を提供する。【解決手段】操作装置１の筐体１０において、記録装置ＨＤＤ１を載置する載置部２と、表示画面３１との間に、載置された記録装置ＨＤＤ１の側端面に当接する当接部２２を配置し、操作処理中に、記録装置ＨＤＤ１が表示画面３１側へ移動することを防止する。【選択図】図１
0003211796.tif 000002
【実用新案登録請求の範囲】
【請求項１】
記憶媒体を駆動させるモータを備えた記憶装置が接続される記憶装置のポータブルな操作装置であって、
前記記憶装置が載置される載置部と、
前記載置部の近傍に設けられた表示画面と、
前記載置部と前記表示画面の間に配置され、前記載置部に載せられた記憶装置の側面に沿って当接する当接部とを備え、
前記当接部は、記憶装置の表示画面側への移動を規制することを特徴する記憶装置の操作装置。
【請求項２】
操作装置と記録装置とを電気的に接続し、可撓性を有するケーブルと、
前記ケーブルの先端に設けられ、記録装置に着脱自在に接続されるコネクタと、
記録装置のコネクタ接続側の側面に当接し、記憶装置のコネクタ接続部を避けた位置に設けられている係止部を有する請求項１に記載の記憶装置の操作装置。
【請求項３】
前記係止部は、記憶装置のコネクタ接続部を中心として、前記当接部の反対側に配置されている請求項２に記載の記憶装置の操作装置。
【請求項４】
前記係止部は、前記載置部に載置されて記憶装置のコネクタ接続側の側面に沿って設けられた複数の係合部に着脱自在に係合される係止部材に設けられている請求項２に記載の記憶装置の操作装置。
【請求項５】
前記表示画面には、透明の保護シートが貼り付けられている請求項１ないし４のいずれか１に記載の記憶装置の操作装置。
【請求項６】
前記載置部には、載置される記憶装置と装置本体との間に配置され、記憶装置から載置部に伝わる振動を緩衝する緩衝材が設けられている請求項１乃至５のいずれか１に記載の記憶装置の操作装置。
【請求項７】
前記載置部の載置面は、前記当接部が設けられている側辺へ向けて下方へ傾斜している請求項１乃至６のいずれか１に記載の記憶装置の操作装置。
【考案の詳細な説明】
【技術分野】
【０００１】
この考案は、記録装置の操作装置に係り、詳しくは、記録媒体を駆動させるモータを有する記録装置を載せる操作装置に関するものである。
【背景技術】
【０００２】
ハードティスクドライブ装置等の記録装置を載置し、該記録装置に対してデータの読出しや書込みを行う操作装置がある。このような操作装置では、例えば、１個の記録装置からデータを読み出し、読み出したデータを他の複数の記録装置に書込むコピー処理や、元の記録装置をイメージファイルに変換して他の記録装置に書込むイメージファイル生成処理などが行われる。
このように、元となる記録装置のデータを読み出して、他の記録装置に書込む場合、元の記録装置とデータを書込む記録装置の取り違いが生じて、元の記録装置のデータが消滅しないように、記録装置の配置が工夫される。一般的には、元の記録装置の配置位置を、他の記録先の記録装置の配置位置よりも離した特別な位置に配置する。
【０００３】
例えば、図９に示されているように、元の記録装置ＨＤＤｍは、操作装置の上に載置し、書込む先の記録装置ＨＤＤｔは、操作装置の周囲に配置するといった配置構成が採用される。
【先行技術文献】
【特許文献】
【０００４】
【特許文献１】特開２０１４−１６０４２５号
【特許文献２】特開２００７−０４８４１５号
【考案の概要】
【考案が解決しようとする課題】
【０００５】
ところで、記録装置には、円板状の記録媒体を駆動モータにより回転させ、データの読み書きを行う方式のものがある。例えば、ハードディスクドライブ装置や、ＣＤ−ＲＯＭやＤＶＤなどにデータの読み書きを行うドライブ装置などがある。これらの装置では、モータの駆動によって振動が発生するので、固い表面に記録装置を載置していると、振動によって載置されている位置が移動してしまうことがある。図９の想像線に示されているように、載置位置が移動して表示画面に重なると、振動によって画面表面を傷つける恐れがある。また、記録装置と操作装置本体とを繋ぐケーブルは、撓んだ状態で接続されるため、撓んだ状態から元の状態に戻る復元力が記録装置に常時作用することとなる。この状態で、記録装置が振動し始めると、載置位置の表面と記録装置ＨＤＤｍとの間の摩擦抵抗が低下して、記録装置ＨＤＤｍがケーブルの復元力に引っ張られ、載置位置から移動してしまうといった恐れがあった。
【０００６】
特許文献２に示されているように、このような記録装置の振動を抑制し、確実に保持する装置も提案されている。しかし、持ち運びが容易な小型操作装置に、特許文献２に示されているような保持装置を搭載すると、全体の構成が大掛かりとなり、持ち運びする装置にはそぐわない大きさとなってしまう、といった問題もあった。
この考案は、記録媒体を駆動させるモータを有する記録装置を確実に保持でき、かつ持ち運びに適した操作装置を提供することを目的とするものである。
【課題を解決するための手段】
【０００７】
以上のような問題を解決する本考案は、以下のような構成を有する。
（１）記憶媒体を駆動させるモータを備えた記憶装置が接続される記憶装置のポータブルな操作装置であって、
前記記憶装置が載置される載置部と、
前記載置部の近傍に設けられた表示画面と、
前記載置部と前記表示画面の間に配置され、前記載置部に載せられた記憶装置の側面に沿って当接する当接部とを備え、
前記当接部は、記憶装置の表示画面側への移動を規制することを特徴する記憶装置の操作装置。
【０００８】
（２）操作装置と記録装置とを電気的に接続し、可撓性を有するケーブルと、
前記ケーブルの先端に設けられ、記録装置に着脱自在に接続されるコネクタと、
記録装置のコネクタ接続側の側面に当接し、記憶装置のコネクタ接続部を避けた位置に設けられている係止部を有する上記（１）に記載の記憶装置の操作装置。
【０００９】
（３）前記係止部は、記憶装置のコネクタ接続部を中心として、前記当接部の反対側に配置されている上記（２）に記載の記憶装置の操作装置。
【００１０】
（４）前記係止部は、前記載置部に載置されて記憶装置のコネクタ接続側の側面に沿って設けられた複数の係合部に着脱自在に係合される係止部材に設けられている上記（２）に記載の記憶装置の操作装置。
【００１１】
（５）前記表示画面には、透明の保護シートが貼り付けられている上記（１）乃至（４）のいずれか１に記載の記憶装置の操作装置。
【００１２】
（６）前記載置部には、載置される記憶装置と装置本体との間に配置され、記憶装置から載置部に伝わる振動を緩衝する緩衝材が設けられている（１）乃至（５）のいずれか１に記載の記憶装置の操作装置。
【００１３】
（７）前記載置部の載置面は、前記当接部が設けられている側辺へ向けて下方へ傾斜している（１）乃至（６）のいずれか１に記載の記憶装置の操作装置。
【考案の効果】
【００１４】
請求項１に記載の考案によれば、載置部に載せられた操作対象となる記録装置を、モータを駆動させた場合、当接部が記憶装置の側面に当接しているので、隣接する表示画面の方向へ、記憶装置が振動によって移動することが抑制される。
【００１５】
請求項２に記載の考案によれば、記録装置のコネクタ接続側に側面に係止部が設けられているので、コネクタに繋がれている、湾曲したケーブルの復元力によって、記録装置が引っ張られて載置部から外れてしまうといった不都合が抑制され、確実に記録装置が保持される。
【００１６】
請求項３に記載の考案によれば、係止部と当接部によってコネクタ接続部を挟む構成となるので、より確実に載置部上に記録装置を保持することができる。
【００１７】
請求項４に記載の考案によれば、複数の係合部の内、いずれかの係合部を選択して係止部材を取り付けられるので、記録装置のコネクタ接続部分の位置に応じて、係合部の位置を適宜変更することができる。
【００１８】
請求項５に記載の考案によれば、表示画面には保護シートが貼り付けられているので、記録装置が表示画面上に重なった場合であっても、表示画面の表面が傷つくことが抑制される。
【００１９】
請求項６に記載の考案によれば、載置部には、載置される記録装置の下側に接触する位置に緩衝材が設けられているので、記録装置の振動が抑制され、振動による記録装置の移動を抑制することができる。
【００２０】
請求項７に記載の考案によれば、載置部の載置面は、当接部へ向けて下方へ傾斜しているので、振動によって当接部から離れる方向に記録装置が移動することが抑制され、常時当接部に接触することとなり、確実に記録装置を載置部上に保持することができる。また、最初に載置部に記録装置を載置した際、当接部に接触しない位置に記録装置が位置していたとしても、その後の振動により、傾斜する載置面に案内されて、当接部に当接する正規の位置に、記録装置を自動的に誘導できる、と言った効果もある。
【図面の簡単な説明】
【００２１】
【図１】本考案の記憶装置の操作装置の使用状態を示す全体斜視図である。
【図２】本考案の記憶装置の操作装置の載置部の状態を示す部分斜視図である。
【図３】載置部の側面断面図である。
【図４】載置部の背面断面図である。
【図５】載置部の他の構成を示す部分斜視図である。
【図６】載置部の他の構成を示す部分斜視図である。
【図７】載置部の他の構成を示す部分斜視図である。
【図８】本考案の記憶装置の操作装置の他の構成を示す全体斜視図である。
【図９】従来の記憶装置の操作装置の構成を示す全体斜視図である。
【考案を実施するための形態】
【００２２】
以下、本考案の好適実施形態について、添付図面に基づいて詳細に説明する。図１は、本考案の記憶装置の操作装置１の使用状態を示す全体斜視図である。操作装置１は、内部に記憶装置に所定の処理を行うデータ処理回路、電源回路等を収容した筐体１０と、筐体１０の上面に設けられた表示装置３と、操作装置１に対して所定の操作をおこなう操作部４と、操作装置１に対して記録装置ＨＤＤ１〜３を接続するための接続部５を有している。この実施形態においては、操作装置１に接続される記録装置が、ハードディスクドライブ装置ＨＤＤ１〜３である場合について説明する。ハードディスクドライブ装置は、記録媒体であるプラッタと、プラッタを回転駆動させるモータとを備えている。本考案の操作装置１が接続される記録装置としては、ハードディスクドライブ装置の他、記録媒体を駆動させるモータを有する記録装置が含まれ、例えば、フレキシブルディスクドライブ装置、ＣＤドライブ装置、ＤＶＤドライブ装置、ブルーレイドライブ装置などが挙げられる。
【００２３】
筐体１０に内蔵されているデータ処理回路は、例えば集積回路で構成され、接続部５を介して接続された記録装置に対して、データの読出し処理、データの書込み処理、データ消去処理、クリップ処理等を行う電子回路であり、電源回路は、記録装置に対して駆動電力を供給する回路である。データ処理回路には、表示装置３、操作部４や接続部５が接続されている。
【００２４】
接続部５は、電源回路に接続される電源ケーブル５２と、データ処理回路に接続される信号ケーブル５１とを有し、電源ケーブル５２と信号ケーブル５１の先端は、同じコネクタ５３に接続されている。コネクタ５３は、記録装置ＨＤＤ２〜３のコネクタ接続部に着脱自在に接続される。このような接続部５は、筐体１０の側面に複数設けられている。コネクタ５３は、一体型でなくても良く、電源ケーブル５２に接続された電源コネクタと、信号ケーブル５１に接続された信号コネクタに分かれた構成のものでもよい。
【００２５】
操作部４は、複数のボタンで構成されており、選択ボタン４１、４２、実行ボタン４３、解除ボタン４４等で構成される。また、表示装置３の表示画面３１は、液晶画面で構成され、画像情報、文字情報等が表示される。この表示装置３は、液晶画面にタッチパッドのような位置入力装置が重ねて設けられたタッチパネルとなっており、画面上の表示を指等で押すことで操作する操作部としても機能する。
【００２６】
筐体１０の上面には、表示画面３１が設けられ、その近傍に記録装置を載置するための載置部２が設けられている。載置部２は、載置される記録装置の平面形状と同様の矩形に形成され、大型の記録装置の大きさに合わせた形状に形成されている。載置部２の表面には、板状の緩衝部材２１が敷設されている。なお、緩衝部材２１は導電性をも備え、緩衝部材２１にはアースを接続した構成とすることもできる。このような構成とすることで、載置部２に載置される記録装置に帯電している静電気を逃がすことができ、また載置部２に載置されている記録装置への帯電を抑制することができる。
【００２７】
緩衝部材２１は、記録装置ＨＤＤ１の振動が筐体１０に伝わることを抑制するとともに、制振によって記録装置ＨＤＤ１が載置部２上を移動することを抑制する。緩衝部材２１は、表面が軟質の材料を用いることで、載置された記録装置ＨＤＤ１との間の摩擦係数を上げ、記録装置ＨＤＤ１の移動を抑制するようにしてもよい。
【００２８】
載置部２と表示画面３１の間には、当接部２２が配置されている。当接部２２は、筐体１０の上面に突出した直方体形状を有し、長辺が載置部２の側端辺に沿うように配置されている。当接部２２の形状は、特に限定されず、載置部２側の側端部が、載置部２上の記録装置ＨＤＤ１の側端面Ｈ１１に当接するものであればよく、当接部分は、面接触、点接触、線接触のいずれでもよい。この実施形態の場合には、面接触により記録装置ＨＤＤ１の側面に当接する。当接部２２は、１つでなくとも良く、例えば、複数の当接部２２を、載置部２の側端辺に沿うように、所定の間隔で配列した構成でもよい。当接部２２の他の構成例については後述する。
当接部２２によって、載置部２に載置された記録装置ＨＤＤ１が、横方向に（図１中、Ｙ軸負方向）移動して表示画面３１に重なるといった不都合が抑制される。
【００２９】
載置部２の正面側（図１中、Ｘ軸負方向）には、載置部２の前側端辺に沿って係止部２３が設けられている。係止部２３は、筐体１０の上面に突出した直方体形状を有し、直方体の長辺が載置部２の前側端辺に沿うように配置されている。係止部２３は、当接部２２と同様に、形状は、特に限定されず、載置部２側の側端部が、載置部２上の記録装置ＨＤＤ１の前側端面Ｈ１２に当接するものであればよく、当接部分は、面接触、点接触、線接触のいずれでもよい。この実施形態の場合には、面接触により記録装置ＨＤＤ１の正面側端面Ｈ１２に当接する。係止部２３は、１つでなくとも良く、例えば、複数の係止部２３を、載置部２の正面側端辺に沿うように、所定の間隔で配列した構成でもよい。
このような係止部２３によって、載置部２に載置された記録装置ＨＤＤ１が、手前方向に（図１中、Ｘ軸負方向）移動して操作装置１から落下するといった不都合が抑制される。
【００３０】
載置部２の載置面は、既述のとおり緩衝部材２１で構成されているが、記録装置ＨＤＤ１が載置される緩衝部材２１の上面は、水平面に対して傾斜して構成されている。当接部２２の記録装置への当接面の水平方向（図１中、Ｘ軸負方向）の延長線と、係止部２３の記録装置への当接面の水平方向（図１中、Ｙ軸負方向）の延長線との交差する点Ｐが、鉛直方向で最も低い位置となるように、載置面が傾斜している。図３に示されているように、Ｘ軸方向において、水平線ｈに対して、Ｐ点に向けて下方へ角度α傾斜し、図４に示されているように、Ｙ軸方向において、水平線ｈに対して、Ｐ点に向けて下方へ角度β傾斜する。
【００３１】
このように、載置面が傾斜することで、載置面上に載置されている記録装置ＨＤＤ１は、振動によって載置面との間の摩擦係数が小さくなると、載置面上を移動するような状態となると、載置面の傾斜によって、最も低い位置であるＰ点方向へ滑る。Ｐ点方向への移動は、当接部２２と係止部２３に接触する方向となるので、記録装置ＨＤＤ１は、当接部２２と係止部２３に常時接触するように導かれ、載置面上に確実に保持される。なお、当接部２２と係止部２３において、載置される記録装置ＨＤＤ１と接触する面に、緩衝材を設けてもよい。
当接部２２と係止部２３とは、記録装置ＨＤＤ１の交差する２側端面に当接する構成となっているので、任意の大きさの記録装置を載置することが可能となる。
【００３２】
当接部と係止部の他の構成例について説明する。図５に示されているように、筐体１０の上面において、載置部２Ａの載置面２４は、段部を介して上面より低く設けられており、載置面２４と表示画面３１との間に位置する段部２５によって当接部が構成され、載置面２４の前側段部２６によって、係止部が構成される。また、段部２５と段部２６の水平方向の交差点Ｐが、載置面２４内において最も低く、Ｐ点へ向けて載置面２４が傾斜する構成となっている。載置面２４に載置された記録装置ＨＤＤ１は、長辺の側端面が段部２５で構成された当接部に当接し、短辺の側端面が段部２６で構成された係止部に当接する。
【００３３】
図６に示されているように、以上のように構成された載置部２Ａは、図５における鉛直方向に立設された段部２５及び２６ではなく、段部２５、２６に替えて傾斜面２５１Ａと傾斜面２６１Ａを有し、傾斜面２５１Ａと傾斜面２６１Ａと載置面２４Ａとの交差部２５２Ａ、２６２Ａで、当接部と係止部が構成されていても良い。当接部と係止部は、載置されている記録装置ＨＤＤ１の底面端辺に線接触して、記録装置ＨＤＤ１を保持する。また、交差部分２５２Ａ、２６２Ａの交差点Ｐが、載置面２４Ａの最も低い位置として、載置面２４Ａを傾斜させた構成とすることができる。
【００３４】
図７に示されているように、係止部は、筐体１０に対して着脱自在に取り付けられる係止部材２７で構成してもよい。また、係止部の配置位置は、筐体１０の前側でなく、後側であってもよい。図８に示されているように、筐体１０の後側（図７中、Ｘ軸正方向側）には、接続部５Ａが設けられている。接続部５Ａは、他の接続部と同様に、電源回路に接続される電源ケーブル５２Ａと、データ処理回路に接続される信号ケーブル５１Ａとを有し、電源ケーブル５２Ａと信号ケーブル５１Ａの先端は、同じコネクタ５３Ａに接続されている。コネクタ５３Ａは、記録装置ＨＤＤ１の側端面Ｈ１３に設けられているコネクタ接続部Ｈ２１に着脱自在に接続される。
【００３５】
図７に示されているように、筐体１０側には、載置部２の緩衝部材２１の端部に沿って、孔１０１ａ、１０１ｂが形成され、係止部材２７の取付部が構成されている。この取付部において、係止部材２７を差し込む孔１０１ａと孔１０１ｂのいずれかを選択することによって、係止部材２７の位置を選択することができる。係止部材２７には、係合部である孔１０１ａ、１０１ｂに挿入される挿入部２７２と、取付状態で筐体１０の上側に突出して、載置された記録装置ＨＤＤ１の背面側側端面Ｈ１３に当接する当接面２７１とを備えている。
【００３６】
係止部材２７の取付位置は、載置される記録装置ＨＤＤ１のコネクタ接続部Ｈ２１の位置に応じて決定する。コネクタ接続部Ｈ２１に重ならい位置に、係止部材２７を取り付ける。図８に示されている構成例では、コネクタ接続部Ｈ２１を挟んで両側に、係止部材２７で構成された係止部と当接部２２とが位置することとなる。
【００３７】
接続部５Ａを構成する電源ケーブル５２Ａと信号ケーブル５１Ａは、それ自体変形可能であって、任意に湾曲させて使用することが可能であり、載置部２に載置されている記録装置ＨＤＤ１のコネクタ接続部Ｈ２１にコネクタ５３Ａを接続させるために、湾曲変形させられた状態となっている。しかし、電源ケーブル５２Ａと信号ケーブル５１Ａは、若干の可撓性を有しており、記録装置ＨＤＤ１にコネクタ５２Ａを接続した状態においても、元の形状に復元する力がケーブル５２Ａ、５１Ａ内に若干蓄積されており、その復元力がケーブル５２Ａ、５１Ａから記録装置ＨＤＤ１に対して常時作用している。
【００３８】
ケーブル５２Ａ、５１Ａの復元力によって記録装置ＨＤＤ１が載置位置から動く恐れがあるが、当接部２２と係合部材２７で構成された係合部によって、載置位置内に記録装置ＨＤＤ１を保持しつづけることが容易となる。特に、記録装置ＨＤＤ１内のモータの駆動によって振動が生じると摩擦係数が低下し、記録装置ＨＤＤ１が載置位置から動く恐れが更に高まる。このような場合にも、当接部２２と係合部材２７で構成された係合部によって、載置位置内に記録装置ＨＤＤ１を確実に保持できる。
【００３９】
図８に示されているように、当接部２２と係合部材２７で構成された係合部によって、記録装置ＨＤＤ１に接続されているコネクタ５２Ａを挟む構成とすることによって、図８におけるＹ軸方向の移動をより確実に規制することができる。更に、載置部２の前側にも係合部２３を設けてもよい。この場合には、Ｘ軸方向の移動をも規制することができる。
【００４０】
以上のような構成とすることによって、ポータブル型の操作装置において、持ち運びに支障のないように、簡易な載置部の構成とすることができ、操作処理中の記録装置ＨＤＤ１の保持を確実にすることができる。
【符号の説明】
【００４１】
１  記憶装置の操作装置
１０  筐体
１０１ａ、１０１ｂ  孔（係合部）
２、２Ａ  載置部
２１  緩衝部材
２２  当接部
２３  係止部
２５  段部（当接部）
２５２Ａ  交差部（当接部）
２６  段部（係止部）
２６２Ａ  交差部（係止部）
２７  係止部材
３  表示装置
３１  表示画面
４  操作部
５  接続部
５１、５２、５１Ａ、５２Ａ  ケーブル
５３、５３Ａ  コネクタ
Ｈ２１  コネクタ接続部
【図１】
0003211796.tif 000003
【図２】
0003211796.tif 000004
【図３】
0003211796.tif 000005
【図４】
0003211796.tif 000006
【図５】
0003211796.tif 000007
【図６】
0003211796.tif 000008
【図７】
0003211796.tif 000009
【図８】
0003211796.tif 000010
【図９】
0003211796.tif 000011